(57)【要約】【課題】  コーナーポストとロープを撤廃したリングにおいて、選手の安全を確保して試合を進行することを可能とする格闘技用リングの補助装置を提供する。【解決手段】  土台をもって床面より高い位置に立設した板面Ｃをもって試合場とした格闘技用のリングＲの外周に補助板面Ｃ１が鍔状に張り出すように設置される補助装置にして、上記補助板面の高さはリングの板面より低く、床面より高い位置に設定する。【選択図】      図２
0003165333.tif 000002
【実用新案登録請求の範囲】
【請求項１】
土台をもって床面より高い位置に立設した板面をもって試合場とした格闘技用のリングの外周に補助板面が鍔状に張り出すように設置される補助装置にして、上記補助板面の高さはリングの板面より低く、床面より高い位置に設定したことを特徴とする格闘技用リングの補助装置。
【請求項２】
互いに独立した複数の補助装置ユニットの集合をもってリングの外周を取り囲むことにより、リングの外周に補助板面が鍔状に張り出すように設置する手段とした請求項１記載の格闘技用リングの補助装置。
【請求項３】
平面八角形のリングの外周に補助板面が鍔状に張り出すように設置される補助装置にして、リングの各辺および各頂点ごとに補助装置ユニットを設置する請求項２記載の格闘技用リングの補助装置。
【考案の詳細な説明】
【技術分野】
【０００１】
この考案は各種の格闘技のリングに設置することにより、競技者の安全を確保する補助装置に関する。
【背景技術】
【０００２】
プロレスや総合格闘技、それに立ち技系格闘技においては試合はリング上で行なわれるのが通常である。かっては地面や床面に直接コーナーポストを立設し、コーナーポスト同士をロープで繋ぎ、その中の空間をもって試合場となるべきリングとしていたが、現代では土台をもって床面より高い位置に立設した板面にコーナーポストを立設し、コーナーポスト同士をロープで繋いで囲うことによりリングとしている（特許文献１）。
【０００３】
現代のリングにおいて、リングの板面を高く設置する主たる理由はリング上で展開される試合の様子を多数の観客から見やすくする点に求められる。板面の床面からの高さは格闘技の種類や主宰団体の規定によりそれぞれ所定のものが定められているが、おおむね１ｍ前後である。また、コーナーポストとそれを繋ぐロープを設ける理由は高所に設置したリングの板面から選手が転落することを防止する点にある。
【先行技術文献】
【特許文献】
【０００４】
【特許文献１】実用新案登録第３００９５８９号公報
【考案の概要】
【考案が解決しようとする課題】
【０００５】
前記したように、リングをコーナーポストとロープで囲う理由はかっては試合場としての空間を物理的に区画する点にあったが、現代のリングでは土台をもって床面より高い位置に立設した板面をもって試合場としているのでコーナーポストとロープで囲わなくても床面との高低差によって試合場としての空間は物理的に区画されている。
【０００６】
一方、プロレスにおいては意図的にロープの反動を利用して技を仕掛ける場面があるが、格闘技の種類によってはこのようなことを嫌う場合もあり、その場合にはコーナーポストとロープが却って邪魔になる。そこで、前記したようにコーナーポストとロープがなくても試合場としての空間が物理的に区画されている以上、これらを撤廃しようとする試みが浮上することとなる。
【０００７】
しかしながら、前記したようにコーナーポストとロープには選手の不用意な転落を防止する役目があり、これを撤廃することは試合の進行に危険を伴うことを意味する。すなわち、ある程度の弾性が期待できる木板に緩衝シートを介してキャンバスを張ったリング上の板面と異なり床面は硬質であり、これに高低差に由来する重力加速度による衝撃が加わった場合に選手が受けるダメージは大きい。しかも、ロープを乗り越えて転落する場合は選手は転落することを意識できるので受け身で防御することができるが、ロープがない場合は意識することなく不意に転落するので受け身で防御することができず、いかに体を鍛えた選手であっても場合によっては生死に係るダメージを蒙る危険さえある。
【課題を解決するための手段】
【０００８】
この考案は前記の問題点に鑑みて創作されたものであり、コーナーポストとロープを撤廃したリングにおいても、選手の安全を確保して試合を進行することを可能とする格闘技用リングの補助装置を提供することを目的とする。すなわち、この考案の補助装置は土台をもって床面より高い位置に立設した板面をもって試合場とした格闘技用のリングの外周に補助板面が鍔状に張り出すように設置される補助装置にして、上記補助板面の高さはリングの板面より低く、床面より高い位置に設定したことを特徴とする。
【０００９】
また、請求項２記載の補助装置は、前記の補助装置において互いに独立した複数の補助装置ユニットの集合をもってリングの外周を取り囲むことにより、リングの外周に補助板面が鍔状に張り出すように設置する手段としたことを特徴とする。
【考案の効果】
【００１０】
以上の構成よりなるこの考案の補助装置によれば、リングの周囲に補助板面が鍔状に張り出すように設置されるので、万が一選手がリングから転落した場合でも床面でなく補助板面に落下することとなる。この場合、図３に示すように補助装置１の補助板面Ｃ１はリングの板面Ｃより低く、床面Ｇより高い位置に設定されるので、落下距離は板面Ｃに直接落下する場合のＡ１に比べ、補助板面の高さＡ２分少ないＡ３に止まるので高低差に由来する重力加速度が減ぜられることとなり、選手が受ける衝撃を減少することができる。加えて、補助板面Ｃ１を床面に比べて緩衝性に富んだものにすれば衝撃はより緩和され、選手のダメージを最小限のものに止めることができることとなる。
【００１１】
また、請求項２に記載の補助装置によれば、互いに独立した複数の補助装置ユニットの集合をもってリングの外周を取り囲むことにより、リングの外周に補助板面が鍔状に張り出すように設置する手段としているので、補助装置ユニットの数や種類を組み合わせることにより既存のリングに容易に適合でき、また、補助装置ユニットのそれぞれは小型・軽量化できるのでリングの設営に際しての搬送、搬入が容易になる利点がある。
【図面の簡単な説明】
【００１２】
【図１】この考案の補助装置の組み立て前の斜視図。
【図２】この考案の補助装置の組み立て後の斜視図。
【図３】この考案の補助装置の作用を示す要部の正面図。
【図４】この考案の補助装置の補助装置ユニットの異なる実施例を示す正面図。
【図５】この考案の補助装置の異なる実施例を示す平面図。
【図６】この考案の補助装置の異なる実施例を示す平面図。
【考案を実施するための形態】
【００１３】
以下、この考案の格闘技用リングの補助装置の具体的実施例を添付図面に基づいて説明する。図１〜図３はこの考案の補助装置を平面八角形のリングに実施した例を示す図である。図中符号Ｒはリングであり、土台をもって床面より高い位置に試合場となる平面八角形の板面Ｃを立設した構成よりなる。このリングＲにおいてはコーナーポストやロープは設けられていない。
【００１４】
前記のリングＲの外周にはこの考案の補助装置の補助板面Ｃ１が鍔状に張り出すように設置されるが、ここでは互いに独立した複数の補助装置ユニットの集合をもってリングの外周を取り囲むことにより、リングの外周に補助板面が鍔状に張り出すように設置する手段としている。具体的にはリングの八角形の各辺ごとに平面矩形の補助装置ユニット１が、同じく各頂点ごとに平面三角形の補助装置ユニット１０が配されることにより、リングの外周に各補助装置ユニット１、１０の天板２、１２の集合により構成される補助板面Ｃ１が隙間なく配されることとなる。
【００１５】
補助装置ユニットは下板３、１３上に立設した支持柱４、１４をもって天板２、１２を架設した構成よりなる。天板２、１２はここではある程度の弾性が期待できる木板を採用することにより落下時の衝撃を和らげる作用を期待しているが、必要に応じてリングの板面Ｃのように緩衝シートを介してキャンバスを張ってもよい。また、図４に示すように天板３０から支持柱３４を垂設した構成としてしてもよいことはもちろんである（図中符号３３は支持柱間を結ぶ補強用の横杆である。）。また、支持柱でなく、側壁により天板を架設するパネル構造としてもよいことももちろんである。
【００１６】
なお、この実施例においては前記補助装置ユニットの奥行き（リングに対する張り出し寸法）を１２０ｃｍ、高さを６０ｃｍとしているが、寸法はこれらに限定されないことは勿論である。
【００１７】
図５はこの考案の格闘技用リングの補助装置を平面矩形のリングに、図６は同じく平面円形のリングに実施した例を示す平面図である。
【符号の説明】
【００１８】
Ｒ                リング
Ｃ                （リングの）板面
Ｃ１              補助板面
１                補助装置ユニット
１０              補助装置ユニット
【図１】
0003165333.tif 000003
【図２】
0003165333.tif 000004
【図３】
0003165333.tif 000005
【図４】
0003165333.tif 000006
【図５】
0003165333.tif 000007
【図６】
0003165333.tif 000008